(57)【要約】【課題】デジタルインターフェースによって医療機器を制御するための、改良された方法およびシステムを提供する。【解決手段】機器制御のための方法は、複数の医療機器を患者の身体と接触させることを含む。医療機器は、デジタルインターフェースによってコンソールと通信するように連結される。メッセージが、複数の医療機器によって同時に受信されるように、コンソールからデジタルインターフェースを通じて送信される。医療機器は、メッセージの受信に応答して互いと同期させられる。【選択図】図１
2010051801.tif 000002
【特許請求の範囲】
【請求項１】
機器制御のための方法において、
複数の医療機器を患者の身体と接触させることと、
デジタルインターフェースによってコンソールと通信するように、前記医療機器を連結することと、
前記複数の医療機器によって同時に受信されるように、前記コンソールから前記デジタルインターフェースを通じてメッセージを送信することと、
前記メッセージの受信に応答して、前記医療機器を互いと同期させることと、
を含む、方法。
【請求項２】
請求項１に記載の方法において、
前記医療機器は、前記患者の心臓と接触させられるカテーテルを含む、方法。
【請求項３】
請求項１に記載の方法において、
前記デジタルインターフェースは、ワイヤレスインターフェースを含む、方法。
【請求項４】
請求項３に記載の方法において、
前記メッセージを送信することは、前記ワイヤレスインターフェースに適用可能な規格で定められた形式で、同報メッセージを、前記コンソールから前記複数の医療機器に送ることを含む、方法。
【請求項５】
請求項３に記載の方法において、
前記メッセージを送信することは、第１のプロトコルに従って同期メッセージを送ることを含み、
前記方法は、
前記第１のプロトコルとは異なる第２のプロトコルを用いて、前記ワイヤレスインターフェースを通じてデータを送信すること、
を含む、方法。
【請求項６】
請求項１に記載の方法において、
前記メッセージを送信することは、前記コンソールから前記複数の医療機器に１つ以上のパルスを送ることを含む、方法。
【請求項７】
請求項１に記載の方法において、
前記医療機器は、前記医療機器が前記身体と接触している間に信号を発生させるように構成された、それぞれのセンサーを含み、
前記方法は、
前記医療機器における前記信号をサンプリングすることと、
サンプリングされた前記信号を、前記デジタルインターフェースを通じて前記コンソールに送信することと、
を含む、方法。
【請求項８】
請求項７に記載の方法において、
前記信号は、前記医療機器のそれぞれにおける各内部クロックを用いてサンプリングされ、
前記医療機器を同期させることは、前記内部クロックをリセットすることを含む、方法。
【請求項９】
請求項７に記載の方法において、
前記それぞれのセンサーは、位置センサーを含み、前記信号は、前記医療機器のそれぞれの位置を示す、方法。
【請求項１０】
請求項７に記載の方法において、
前記それぞれのセンサーは、電極を含み、前記信号は、前記身体内の電気的活動を示す、方法。
【請求項１１】
請求項７に記載の方法において、
前記それぞれのセンサーは、電極を含み、前記信号は、前記身体内の前記機器と組織との間の接触インピーダンスを示す、方法。
【請求項１２】
請求項７に記載の方法において、
前記それぞれのセンサーは、前記機器に加えられた力に応答的であり、前記信号は、前記身体内の前記機器と組織との間の接触圧力を示す、方法。
【請求項１３】
医療電子装置において、
第１のデジタルインターフェースを含むコンソールであって、前記デジタルインターフェースを通じて複数の受領部に対して同時にメッセージを送信するように構成された、コンソールと、
患者の身体と接触させられるように構成された複数の医療機器であって、前記コンソールの前記第１のデジタルインターフェースと通信するための第２のデジタルインターフェースを含んでおり、前記コンソールによって送信された前記メッセージを同時に受信するように、かつ、前記メッセージの受信に応答して互いと同期するように、構成された、複数の医療機器と、
を含む、装置。
【請求項１４】
請求項１３に記載の装置において、
前記医療機器は、前記患者の心臓と接触させられるように構成されたカテーテルを含む、装置。
【請求項１５】
請求項１３に記載の装置において、
前記第１のデジタルインターフェースおよび前記第２のデジタルインターフェースは、ワイヤレスインターフェースを含む、装置。
【請求項１６】
請求項１５に記載の装置において、
前記メッセージは、同報メッセージを含み、前記同報メッセージは、前記ワイヤレスインターフェースに適用可能な規格で定められた形式で、前記コンソールから前記複数の医療機器に送信される、装置。
【請求項１７】
請求項１５に記載の装置において、
前記メッセージは、第１のプロトコルに従って同期メッセージを送ることを含み、
前記医療機器は、前記第１のプロトコルとは異なる第２のプロトコルを用いて、前記ワイヤレスインターフェースを通じてデータを送信するように構成される、装置。
【請求項１８】
請求項１３に記載の装置において、
前記メッセージは、前記コンソールから前記複数の医療機器に送信される１つ以上のパルスを含む、装置。
【請求項１９】
請求項１３に記載の装置において、
前記医療機器は、
前記医療機器が前記身体と接触している間に信号を発生させるように構成された、それぞれのセンサーと、
前記センサーにより発生される前記信号をサンプリングするように、かつ、サンプリングされた前記信号を、前記デジタルインターフェースを通じて前記コンソールに送信するように、構成された、回路網と、
を含む、装置。
【請求項２０】
請求項１９に記載の装置において、
前記回路網は、前記医療機器のそれぞれにおける各内部クロックを用いて前記信号をサンプリングするように、また、前記メッセージを受信すると前記内部クロックをリセットするように、構成される、装置。
【請求項２１】
請求項１９に記載の装置において、
前記それぞれのセンサーは、位置センサーを含み、前記信号は、前記医療機器のそれぞれの位置を示す、装置。
【請求項２２】
請求項１９に記載の装置において、
前記それぞれのセンサーは、電極を含み、前記信号は、前記身体内の電気的活動を示す、装置。
【請求項２３】
請求項１９に記載の装置において、
前記それぞれのセンサーは、電極を含み、前記信号は、前記身体内の前記機器と組織との間の接触インピーダンスを示す、装置。
【請求項２４】
請求項１９に記載の方法において、
前記それぞれのセンサーは、前記機器に加えられる力に応答的であり、前記信号は、前記身体内の前記機器と組織との間の接触圧力を示す、方法。
【発明の詳細な説明】
【開示の内容】
【０００１】
〔発明の分野〕
本発明は、概して電子医療機器に関し、特に、そのような機器を制御するための方法およびシステムに関する。
【０００２】
〔発明の背景〕
多くのタイプの医療診断および治療システムは、患者の身体に接触する１つ以上のプローブと、信号を受信し、時にはプローブの機能を制御する、制御コンソールと、を含む。例えば、侵襲的な診断および治療に使用される心臓カテーテルは、通常、このように構成されている。当技術分野で既知のシステムでは、そのようなカテーテルは、一般に、有線アナログインターフェース（wired analog interface）によって制御コンソールに接続される。しかしながら、より新しいカテーテルは、ワイヤレスインターフェースによってコンソールと通信することができる。
【０００３】
例えば、開示内容が参照により本明細書に組み込まれる米国特許第６，２６６，５５１号は、とりわけ無線カテーテルを記載しており、その無線カテーテルは、信号処理および／または算出装置に物理的に接続されない。むしろ、送信機／受信機が、カテーテルの近位端部に取り付けられる。送信機／受信機は、ＩＲ（赤外線）、ＲＦ（無線周波数）または音響送信などの無線通信方法を使用して信号処理および／またはコンピュータ装置と通信する。このタイプの構成の１つの利益は、（電気的に敏感な）心臓に挿入されるカテーテルが、容易に、電気的に浮遊するようにされうるということである。別の利益は、オペレータが絡まり、かつ／または、身体から偶然に引き出してしまうかもしれない、ケーブル布線および配線の量の減少である。さらに別の利点は、そのようなカテーテルを殺菌し、カテーテルの無菌状態を維持する容易さである。これは、カテーテル全体が、単一ユニットとして殺菌されうるためである。
【０００４】
無線の医療感知機器の別の例は、ＩＭＥＣ（ベルギー・ルーヴェン）によって開発された、無線ＥＣＧパッチである。無線ＥＣＧパッチのコアは、可撓性基板上で統合されている、小型化された無線センサーノードから成る。そのコアは、ローカルなデジタル信号処理を可能にする商業的マイクロプロセッサ、２．４ＧＨｚ無線リンク、および小型化された蓄電池を含む。加えて、センサーノードは、フォーク状アンテナ、およびスナップ式コネクタ（電極に接続するため）を特色としている。無線ＥＣＧパッチは、連続監視モードで動作することができ、連続監視モードでは、ＥＣＧデータまたはＥＭＧデータが、２５０〜１０００Ｈｚのサンプル周波数で、受信機に絶え間なく送信される。この機器のさらなる詳細は、ＩＭＥＣ．ｂｅのウェブサイトで説明されている。
【０００５】
〔発明の概要〕
本発明の実施形態は、デジタルインターフェースによって医療機器を制御するための、改良された方法およびシステムを提供する。特に、これらの実施形態のいくつかは、有線または無線であってよい標準のデジタルインターフェースを通じて送信されるメッセージを用いて医療機器を同期させるための方法を提供する。
【０００６】
したがって、本発明のある実施形態によると、機器制御のための方法が提供され、この方法は、
複数の医療機器を患者の身体と接触させること；
デジタルインターフェースによってコンソールと通信するように医療機器を連結すること；
複数の医療機器によって同時に受信されるように、コンソールからデジタルインターフェースを通じてメッセージを送信すること；および、
メッセージの受信に応答して、医療機器を互いと同期させること、を含む。
【０００７】
開示された実施形態では、医療機器は、患者の心臓と接触させられるカテーテルを含む。
【０００８】
いくつかの実施形態では、デジタルインターフェースは、ワイヤレスインターフェースを含む。一実施形態では、メッセージを送信することは、ワイヤレスインターフェースに適用可能な規格で定められた形式（format prescribed a standard applicable to the wireless interface）で、同報メッセージを、コンソールから複数の医療機器に送ることを含む。代替的に、または、加えて、メッセージを送信することは、第１のプロトコルに従って同期メッセージを送ることを含み、方法は、第１のプロトコルとは異なる第２のプロトコルを用いて、ワイヤレスインターフェースを通じてデータを送信することを含む。
【０００９】
一実施形態では、メッセージを送信することは、コンソールから複数の医療機器に１つ以上のパルスを送ることを含む。
【００１０】
いくつかの実施形態では、医療機器は、それぞれのセンサーを含み、センサーは、身体と接触している間に信号を発生させるように構成されており、方法は、医療機器における信号をサンプリングすることと、デジタルインターフェースを通じて、サンプリングされた信号をコンソールに送信することと、を含む。通常、信号は、医療機器のそれぞれにおける各内部クロックを用いてサンプリングされ、医療機器を同期させることは、内部クロックをリセットすることを含む。
【００１１】
開示された実施形態では、それぞれのセンサーは、位置センサーを含み、信号は、医療機器のそれぞれの位置を示している。加えて、または代替的に、それぞれのセンサーは、電極を含み、信号は、身体内の電気的活動、および／または、身体内の機器と組織との間の接触インピーダンスを示している。さらに加えて、または代替的に、それぞれのセンサーは、機器に加えられた力に応答的であり、信号は、身体内の機器と組織との間の接触圧力を示している。
【００１２】
本発明のある実施形態によると、医療電子機器も提供され、この機器は、
第１のデジタルインターフェースを含むコンソールであって、そのデジタルインターフェースを通じて複数の受領部（multiple recipients）に対して同時にメッセージを送信するように構成された、コンソールと、
患者の身体と接触させられるように構成された複数の医療機器であって、コンソールの第１のデジタルインターフェースと通信するための第２のデジタルインターフェースを含んでおり、コンソールによって送信されたメッセージを同時に受信するように、かつ、そのメッセージの受信に応答して互いと同期するように、構成されている、複数の医療機器と、を含む。
【００１３】
本発明は、図面と併せて理解される、本発明の実施形態の以下の詳細な説明から、より十分に理解されるであろう。
【００１４】
〔実施形態の詳細な説明〕
この特許出願に記載されている本発明の実施形態では、心臓カテーテルなどの医療機器は、有線または無線であってよい標準的なデジタルインターフェースによってコンソールと通信する。そのような各医療機器内部の内部動作回路は、機器の機能的な要素を制御し、コンソールへの送信のため機器によって捕捉された信号をデジタル化する。このような状況で標準的なデジタルインターフェースを使用することは、コストを削減し、システムの融通性を高めるのに有利であるが、そのような標準的なインターフェースはしばしば、コンソールと医療機器との間でメッセージ（データおよび制御）に単一のチャネルのみを提供する。
【００１５】
いくつかの手順では、複数の機器が使用されて、同じコンソールと同時にインターフェースで接続することができる。機器によりコンソールへ送信された信号間の精密な登録について、異なる機器の内部クロックが相互に同期されることが望ましい。本発明の実施形態では、この同期は、コンソールから機器すべてに同時に同期メッセージを送信することによって、もたらされる。例えば、機器がブルートゥース（Bluetooth）（商標）無線リンクを通じてコンソールと通信する場合、コンソールは、カテーテルを同期させるために、標準のブルートゥース同報メッセージを送信することができる。同期メッセージは、データ通信に使用される同じチャネルを通じて送信されることができる。機器動作回路は、同報メッセージを認識して、同報メッセージに対して同期するようにプログラムされる。
【００１６】
図１は、本発明のある実施形態による、ワイヤレスデジタルインターフェースを使用する医療システム２０の概略的な絵画図である。明瞭にするために、この図、および図２は、本発明のこの実施形態の働きを理解するのに有用な、システム２０の限られた数の物理的で機能的な構成要素のみを示している。作動するシステム（working system）を組み立てるのに必要である残りの要素は、システムの目標とする特定の適用および構成によって決まり、その適用および構成に基づいて当業者には明らかになるであろう。
【００１７】
この例におけるシステム２０は、心臓カテーテル法システムであり、このシステムは、患者の心臓に挿入するための、少なくとも２つのカテーテル２２、２４を含む。カテーテルはそれぞれ、コンソール２６の、対応するインターフェース３０と通信するワイヤレスデジタルインターフェース２８を含む。インターフェース２８および３０は、ブルートゥース、ＩＥＥＥ８０２．１１ファミリー規格（IEEE 802.11 family of standards）のうちの１つ、またはHiperLAN規格などの、当技術分野で既知のあらゆる適切な無線通信規格に従って作動することができる。
【００１８】
図１に示される例におけるコンソール２６は、汎用コンピュータを含み、汎用コンピュータは、カテーテル２２および２４からのデータを制御および収集するためのインターフェース３０ならびに適切な回路およびソフトウェアを備えている。しかしながら、より一般的には、「コンソール」という用語は、患者の身体と接触している医療機器からの信号を制御および受信するために適切なプロセッサおよびインターフェースを備えたあらゆる種類の制御装置を示すよう、本特許出願の文脈において、また特許請求の範囲において使用されている。この種のコンソールは、大きな計装システムから小さなハンドヘルドまたは卓上用の機器まで、実質的にあらゆる適切な規模のものであってよい。
【００１９】
カテーテル２２および２４はそれぞれ、１つ以上のセンサーを含み、このセンサーは、この例では、位置センサー３２、および電極３４を含む。電極は、心臓の内側で電気信号を感知するのに使用される。代替的に、または加えて、電極は、不整脈の、アブレーションに基づいた治療のため無線周波数（ＲＦ）エネルギーを心内膜に送達するなど、治療目的で使用されることができる。別の代替案として、電極３４は、カテーテルと心臓組織との間の接触インピーダンスを感知するために使用されることができる。
【００２０】
位置センサー３２は、患者の身体の内部のそれぞれのカテーテルの位置座標（場所および／または向き）を示す信号を発生させる。位置センサーは、当技術分野で既知のあらゆる適切な位置感知方法を実施することができる。例えば、位置センサーは、Biosense Webster Inc.（カリフォルニア州ダイヤモンドバー）によって製造されたＣＡＲＴＯ（商標）システムの場合のように、患者の身体の外側の既知の場所で場発生器コイル（field generator coils）（図示せず）により発生される磁場を感知することができる。磁場に基づいた位置感知のための適切な方法は、Ben-Haimに付与された米国特許第５，３９１，１９９号、同５，４４３，４８９号、および同６，７８８，９６７号、Ben Haimらに付与された米国特許第６，６９０，９６３号、Ackerらに付与された米国特許第５，５５８，０９１号、Asheに付与された米国特許第６，１７２，４９９号、ならびにGovariに付与された米国特許第６，１７７，７９２号でさらに開示されており、これらの開示内容は、参照により本明細書に組み込まれる。
【００２１】
さらに代替的に、または加えて、システム２０のカテーテルは、当技術分野で知られているように、位置および／または物理的もしくは生理的パラメータの他のタイプのセンサーを含むことができる。例えば、センサー３２は、カテーテルと心臓組織との間の接触圧力を示す信号を発生させる、力センサーまたは触知センサー（force sensor or tactile sensor）を含むことができる。
【００２２】
図２は、本発明のある実施形態による、システム２０の機能的な構成要素を概略的に示す、ブロック図である。カテーテル２２および２４それぞれにおけるセンサー３２、３４は、アナログ／デジタル（Ａ／Ｄ）コンバータ回路４０によってインターフェース２８に接続される。この回路は、内部サンプリングクロックを使用して、センサーにより出力された信号をサンプリングおよびデジタル化する。インターフェース２８は、モデム４２、およびコントローラ４４を含む。モデムは、適用可能な通信規格に従って、コンソール２６のインターフェース３０にデータ信号を無線経由で送信し、また、インターフェース３０から制御信号を受信する。コントローラは、モデムによる送信のために回路４０からのパケットデータをフォーマットし、コンソール２６からの制御信号によって伝えられたコマンドを実行する。回路４０によって使用される内部サンプリングクロックは、コントローラ４４によって、または回路４０自体によって、発生されることができる。加えて、または代替的に、コントローラ４４は、コントローラ４４がコンソールに送信するデータパケットにタイムスタンプを押すために内部クロックを使用することができる。
【００２３】
コンソール２６のインターフェース３０は、同様に、モデム４６、およびコントローラ４８を含み、コントローラ４８は、中央演算処理装置（ＣＰＵ）５０と通信する。ＣＰＵは、診断出力を組み立てるために、カテーテル２２および２４から伝えられたデータ信号（この例では、カテーテルの位置信号および心臓の電気信号を含む）を受信および処理する。例えば、ＣＰＵは、前記のＣＡＲＴＯシステムによって製作されるタイプの地図など、心臓の電気的活動の地図を製作することができる。
【００２４】
ＣＰＵ５０は、折々に、システム２０の構成要素を同期させることを決定することができる。通常、同期は、システムの起動時に実行されて、ことによると、その後、定期的に繰り返される。そのような同期は、例えば、カテーテル２２および２４の回路４０によって使用される内部クロックが互いと同期させられるのを確実にすることが望ましく、ＣＰＵは、診断出力を作成する際に信号を正確に相互に関連させることができる。カテーテル２２および２４を同期させるために、ＣＰＵ５０は、モデム４６からカテーテルのモデム４２へ同時に無線経由で同期メッセージを送信するよう、コントローラ４８にコマンドを出す。メッセージを受信すると、コントローラ４４は、それぞれのカテーテルの内部クロックをリセットし、それによって、クロックは、小さな許容誤差の範囲内となるよう互いと同期される。
【００２５】
同期メッセージは、適用可能な無線通信規格によって命令された放送形式（broadcast format）を使用できる。例えば、インターフェース２８および３０が、コンソール２６をマスターとし、かつカテーテル２２および２４をスレーブとした、ブルートゥースピコネットとして構成されると仮定すると、ブルートゥース仕様において定められるアクティブスレーブブロードキャスト（ＡＳＢ）メカニズムを用いて、同期メッセージを送信することができる。代替的に、ブルートゥースおよび他の規格により提供される、他の一対多送信メカニズム（other one-to-many transmission mechanisms）を、この目的で使用することができる。
【００２６】
代替的に、ブルートゥースを通じていようと、他のタイプの標準的もしくは専売のインターフェースおよびプロトコル（other types of standard or proprietary interfaces and protocols）を通じていようと、他のタイプの同期メッセージを使用することができる。例えば、１つのプロトコルが、同期メッセージを送るために使用されることができ、別のプロトコルが、カテーテルとコンソールとの間でデータを送信するために使用される。適切な専売のプロトコルが使用される場合、同期メッセージは、インターフェースを通じて送信される、予め定められたシーケンスのパルス、または単一パルスと同じくらい単純であってよい。
【００２７】
いくつかの実施形態では、データ転送および同期機能のための別々のトランシーバーすらあってもよい。同期パルスを特定すると、例えば、このトランシーバーは、コントローラ４４への割り込み（interrupt）を送ることができ、コントローラ４４は、それに応じて、コントローラ４４がコンソールに送信するパケットのタイムスタンプを調整する。
【００２８】
必要とされる同期の精度は、感知のアプリケーション（sensing application）によって決まる。ＥＣＧ感知について、例えば、精度は、０．５ミリ秒と大雑把（coarse）であってよい。他方、正確な位置感知については、同期において１マイクロ秒またはそれより良好な精度が、望ましい。この種の精密度は、ブルートゥースなどの現行の無線通信プロトコルから利用可能でないかもしれない。精密度を高めるため、モデム４２の受信機回路は、モデムのコア回路によって処理される前に生のＲＦパルス（raw RF pulses）の検出を可能にするように変更されてよい。変更された受信機回路は、ＲＦパルスが検出されるとコントローラ４４に信号を送り、コントローラは、それに応じて、カテーテル回路を同期させる。
【００２９】
前記の実施形態は、特に心臓カテーテルに関するが、本発明の原理は、他のタイプの侵襲性および体表面機器に同様に適用可能である。その上、前記の方法および回路は、様々な異なるタイプのワイヤレスインターフェースを通じて作動するだけではなく、ユニバーサルシリアルバス（ＵＳＢ）インターフェースなど、有線デジタルインターフェースを介しても作動するように構成されることができる。
【００３０】
したがって、前記の実施形態は例として言及したものであり、本発明は、本明細書中で前記に詳細に示し説明したことに限定されるものではないことが理解されるであろう。むしろ、本発明の範囲は、本明細書に記載した様々な特徴のコンビネーションおよびサブコンビネーションの双方を含むと共に、前記の説明を読めば当業者が想到し得る変形および変更であって、先行技術において開示されていない、変形および変更を含む。
【図面の簡単な説明】
【００３１】
【図１】図１は、本発明のある実施形態による、ワイヤレスデジタルインターフェースを含む医療システムの概略的な絵画図である。
【図２】図２は、本発明のある実施形態による、ワイヤレスデジタルインターフェースを含む医療システムの機能的な構成要素を概略的に例示する、ブロック図である。
【図１】
2010051801.tif 000003
【図２】
2010051801.tif 000004
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
機器制御のための方法において、
複数の医療機器を患者の身体と接触させることと、
デジタルインターフェースによってコンソールと通信するように、前記医療機器を連結することと、
前記複数の医療機器によって同時に受信されるように、前記コンソールから前記デジタルインターフェースを通じてメッセージを送信することと、
前記メッセージの受信に応答して、前記医療機器を互いと同期させることと、
を含む、方法。
【請求項２】
請求項１に記載の方法において、
前記医療機器は、前記患者の心臓と接触させられるカテーテルを含む、方法。
【請求項３】
請求項１に記載の方法において、
前記デジタルインターフェースは、ワイヤレスインターフェースを含む、方法。
【請求項４】
請求項３に記載の方法において、
前記メッセージを送信することは、前記ワイヤレスインターフェースに適用可能な規格で定められた形式で、同報メッセージを、前記コンソールから前記複数の医療機器に送ることを含む、方法。
【請求項５】
請求項３に記載の方法において、
前記メッセージを送信することは、第１のプロトコルに従って同期メッセージを送ることを含み、
前記方法は、
前記第１のプロトコルとは異なる第２のプロトコルを用いて、前記ワイヤレスインターフェースを通じてデータを送信すること、
を含む、方法。
【請求項６】
請求項１に記載の方法において、
前記メッセージを送信することは、前記コンソールから前記複数の医療機器に１つ以上のパルスを送ることを含む、方法。
【請求項７】
請求項１に記載の方法において、
前記医療機器は、前記医療機器が前記身体と接触している間に信号を発生させるように構成された、それぞれのセンサーを含み、
前記方法は、
前記医療機器における前記信号をサンプリングすることと、
サンプリングされた前記信号を、前記デジタルインターフェースを通じて前記コンソールに送信することと、
を含む、方法。
【請求項８】
請求項７に記載の方法において、
前記信号は、前記医療機器のそれぞれにおける各内部クロックを用いてサンプリングされ、
前記医療機器を同期させることは、前記内部クロックをリセットすることを含む、方法。
【請求項９】
請求項７に記載の方法において、
前記それぞれのセンサーは、位置センサーを含み、前記信号は、前記医療機器のそれぞれの位置を示す、方法。
【請求項１０】
請求項７に記載の方法において、
前記それぞれのセンサーは、電極を含み、前記信号は、前記身体内の電気的活動を示す、方法。
【請求項１１】
請求項７に記載の方法において、
前記それぞれのセンサーは、電極を含み、前記信号は、前記身体内の前記機器と組織との間の接触インピーダンスを示す、方法。
【請求項１２】
請求項７に記載の方法において、
前記それぞれのセンサーは、前記機器に加えられた力に応答的であり、前記信号は、前記身体内の前記機器と組織との間の接触圧力を示す、方法。
【請求項１３】
医療電子装置において、
第１のデジタルインターフェースを含むコンソールであって、前記デジタルインターフェースを通じて複数の受領部に対して同時にメッセージを送信するように構成された、コンソールと、
患者の身体と接触させられるように構成された複数の医療機器であって、前記コンソールの前記第１のデジタルインターフェースと通信するための第２のデジタルインターフェースを含んでおり、前記コンソールによって送信された前記メッセージを同時に受信するように、かつ、前記メッセージの受信に応答して互いと同期するように、構成された、複数の医療機器と、
を含む、装置。
【請求項１４】
請求項１３に記載の装置において、
前記医療機器は、前記患者の心臓と接触させられるように構成されたカテーテルを含む、装置。
【請求項１５】
請求項１３に記載の装置において、
前記第１のデジタルインターフェースおよび前記第２のデジタルインターフェースは、ワイヤレスインターフェースを含む、装置。
【請求項１６】
請求項１５に記載の装置において、
前記メッセージは、同報メッセージを含み、前記同報メッセージは、前記ワイヤレスインターフェースに適用可能な規格で定められた形式で、前記コンソールから前記複数の医療機器に送信される、装置。
【請求項１７】
請求項１５に記載の装置において、
前記メッセージは、第１のプロトコルに従って同期メッセージを送ることを含み、
前記医療機器は、前記第１のプロトコルとは異なる第２のプロトコルを用いて、前記ワイヤレスインターフェースを通じてデータを送信するように構成される、装置。
【請求項１８】
請求項１３に記載の装置において、
前記メッセージは、前記コンソールから前記複数の医療機器に送信される１つ以上のパルスを含む、装置。
【請求項１９】
請求項１３に記載の装置において、
前記医療機器は、
前記医療機器が前記身体と接触している間に信号を発生させるように構成された、それぞれのセンサーと、
前記センサーにより発生される前記信号をサンプリングするように、かつ、サンプリングされた前記信号を、前記デジタルインターフェースを通じて前記コンソールに送信するように、構成された、回路網と、
を含む、装置。
【請求項２０】
請求項１９に記載の装置において、
前記回路網は、前記医療機器のそれぞれにおける各内部クロックを用いて前記信号をサンプリングするように、また、前記メッセージを受信すると前記内部クロックをリセットするように、構成される、装置。
【請求項２１】
請求項１９に記載の装置において、
前記それぞれのセンサーは、位置センサーを含み、前記信号は、前記医療機器のそれぞれの位置を示す、装置。
【請求項２２】
請求項１９に記載の装置において、
前記それぞれのセンサーは、電極を含み、前記信号は、前記身体内の電気的活動を示す、装置。
【請求項２３】
請求項１９に記載の装置において、
前記それぞれのセンサーは、電極を含み、前記信号は、前記身体内の前記機器と組織との間の接触インピーダンスを示す、装置。
【請求項２４】
請求項１９に記載の装置において、
前記それぞれのセンサーは、前記機器に加えられる力に応答的であり、前記信号は、前記身体内の前記機器と組織との間の接触圧力を示す、装置。
【外国語明細書】
2010051801000001.pdf